(57)【要約】【課題】  電子楽器を使用することで、簡単に、自分の好きな或いはオリジナルな着信メロディを携帯端末装置に入力できる構成を提供する。【解決手段】  演奏データとは別のデータフォーマットに従って楽音を発生させることができる音源部１０と、機種が選択でき、それによってデータフォーマット変換時のデータフォーマットが特定される機種設定部２０と、演奏データ及び変換データが記憶されるデータ記憶部３０と、変換条件を設定する変換条件設定部４０と、演奏データを、上記選択機種及び変換条件に従ってフォーマット変換するデータ変換部５０と、該変換データを、機種設定によって特定されたデータフォーマットに従って上記楽音発生回路１１６又は上記音源部１０から楽音を発生させる再生制御部６０と、上記変換データを、携帯電話２００へ転送するデータ転送部７０とを備えている。【選択図】        図３
2005055634.tif 000002
【特許請求の範囲】
【請求項１】
少なくとも演奏操作を基に楽音発生手段から楽音を発生させる電子楽器であって、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記変換条件に従ってフォーマット変換し、データ記憶手段に記憶させるデータ変換手段と、
該変換データを読み出して、上記電子楽器の楽音発生手段から楽音を発生させる再生制御手段と、
上記変換データを読み出して、携帯端末装置へ転送するデータ転送手段と
を有することを特徴とする電子楽器。
【請求項２】
少なくとも演奏操作を基に楽音発生手段から楽音を発生させる電子楽器であって、
上記楽音発生手段とは別のデータフォーマットに従って楽音を発生させる別の音源と、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記変換条件に従ってフォーマット変換し、データ記憶手段に記憶させるデータ変換手段と、
該変換データを読み出して、上記別の音源から楽音を発生させる再生制御手段と、
上記変換データを読み出して、携帯端末装置へ転送するデータ転送手段と
を有することを特徴とする電子楽器。
【請求項３】
少なくとも演奏操作を基に楽音発生手段から楽音を発生させる電子楽器であって、
上記楽音発生手段とは別のデータフォーマットに従って楽音を発生させる別の音源と、
携帯端末装置の機種の選択ができ、それによってデータフォーマット変換時のデータフォーマットが特定可能な機種設定手段と、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記選択機種及び変換条件に従ってフォーマット変換し、データ記憶手段に記憶させるデータ変換手段と、
該変換データを読み出して、特定されたデータフォーマットに従って上記楽音発生手段又は別の音源から楽音を発生させる再生制御手段と、
上記変換データを読み出して、携帯端末装置へ転送するデータ転送手段と
を有することを特徴とする電子楽器。
【発明の詳細な説明】
【技術分野】
【０００１】
本発明は、自分の演奏データを携帯端末装置の直進メロディ用に変換できる機能を有する電子楽器に関する。
【背景技術】
【０００２】
これまでの携帯端末装置では、その端末装置の操作ボタンを押すことで、自分の好きな着信メロディが入力されるか、着信メロディ配信サイトにアクセスし、そこで着信メロディデータがダウンロードされ、着信を知らせるメロディとして使用されていた。
【発明の開示】
【発明が解決しようとする課題】
【０００３】
しかし、例えばオリジナルなメロディを入力しようとすると、自分で操作ボタンを押して着信メロディデータを入力しかなく、非常に面倒な手間が必要になる。
【０００４】
他方着信メロディデータをダウンロードする場合は、簡単にできるが、オリジナルなメロディを入力することはできない。
【０００５】
またパソコンを使用して着信メロディを入力することもできるが、通常は着信メロディデータをダウンロードしてから携帯端末装置に入力することが多い。或いはパソコン画面上に、適当なメロディ入力インターフェース画面を表示させ、マウスなどで入力させる構成もある。しかしその場合もそのような画面上でのマウス操作などを必要とし、やはり操作が面倒である。
【０００６】
本発明は以上のような問題に鑑み創案されたもので、電子楽器を使用することで、簡単に、自分の好きな或いはオリジナルな着信メロディを携帯端末装置に入力できる構成を提供せんとするものである。
【課題を解決するための手段】
【０００７】
そのため本発明は、少なくとも演奏操作を基に楽音発生手段から楽音を発生させる電子楽器であって、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記変換条件に従ってフォーマット変換し、データ記憶手段に記憶させるデータ変換手段と、
該変換データを読み出して、上記電子楽器の楽音発生手段から楽音を発生させる再生制御手段と、
上記変換データを読み出して、携帯端末装置へ転送するデータ転送手段と
を有することを基本的特徴としている。
【０００８】
上記構成によれば、電子楽器を使用して演奏を行い、それを携帯端末装置に転送・入力するので、簡単に、自分の好きな或いはオリジナルな着信メロディを入力できるようになる。
【０００９】
すなわち、上記電子楽器を演奏することで、目的とするメロディを演奏データとして、上記データ記憶手段に記憶させ、次に変換条件設定手段を使用してデータフォーマット変換の際の変換条件を設定する。そしてデータ変換手段により、上記演奏データをその変換条件に従ってフォーマット変換し、データ記憶手段に記憶させる。その後再生制御手段を使って、該変換データを読み出し、上記電子楽器の楽音発生手段から楽音を発生させ、試聴する。これで気に入らなければ、変換条件を変えて再度データフォーマット変換を行うか、或いは最初の演奏から上記操作を繰り返す。最後にデータ転送手段を使用して、上記変換データを、携帯端末装置へ転送する。
【００１０】
尚、変換条件設定手段により設定される、データフォーマット変換の際の変換条件とは、データフォーマットが決まっている場合は、その変換データの最大データ容量（データサイズ）、発音数、チャンネル数、和音数、小節数、スタイル、音色、エフェクト、コントロールチェンジなどがある。例えば、携帯端末装置の機種によっては、着信メロディ用のデータ容量の最大値があり、それを超えるデータは基本的に該携帯端末装置には、記憶しておけないため、ここで変換条件を設定しておく必要がある。
【００１１】
また上記携帯端末装置は、携帯電話のみではなく、何かの呼び出し、或いは時間が来たことを示すアラームなどの機能を備えたＰＤＡなどのようなものも含まれる。その場合呼び出しメロディやアラーム用メロディが、着信メロディということになる。
【００１２】
近年、着信メロディ用に、そのデータフォーマットが統一されるようになっている。
【００１３】
例えばＧＭＬやＧＭ２などは、ＭＩＤＩメッセージで構成されるデータフォーマットを有しており、図１８に示すように、メッセージの種類を表すステータスバイト［ＭＳＢ（ビット７）が１であるバイトで８０Ｈ〜ＦＦＨまでの数値として表される］と、実データを表すデータバイト［ＭＳＢ（ビット７）が０であるバイトで００Ｈ〜７ＦＨまでの数値として表される］から構成される。
【００１４】
また携帯端末装置において再生可能なマルチメディア用のデータ形式を定義したＳＭＡＦというデータフォーマットでは、図１９に示すように、データのＩＤ（識別用）及びデータサイズ（ボディ部の長さ：バイト単位）を含んだ８バイトのヘッダ部と、任意長のデータボディ部とから構成される。
【００１５】
上記ＧＭＬやＧＭ２は、基本的にＭＩＤＩと同じデータフォーマットなので、上記構成では、再生制御手段により、電子楽器の楽音発生手段が使用されて、変換データを基に楽音を発生させ、試聴することができる。
【００１６】
しかし、後者のデータフォーマットでは、電子楽器の楽音発生手段を使用した変換データの試聴ができない。
【００１７】
そこで請求項２の発明では、同じく少なくとも演奏操作を基に楽音発生手段から楽音を発生させる電子楽器であって、
上記楽音発生手段とは別のデータフォーマットに従って楽音を発生させる別の音源と、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記変換条件に従ってフォーマット変換し、データ記憶手段に記憶させるデータ変換手段と、
該変換データを読み出して、上記別の音源から楽音を発生させる再生制御手段と、
上記変換データを読み出して、携帯端末装置へ転送するデータ転送手段と
を有することを特徴としている。
【００１８】
上記構成では、電子楽器に備えられている楽音発生手段とは別個に、変換後のデータフォーマットに従って楽音を発生させる音源を備えており、従って後者のデータフォーマットで変換された変換データは、試聴の際、再生制御手段により読み出されて、それに基づき上記別の音源から楽音が発生せしめられることになる（今後別のフォーマット形式が採用されれば、それに併せて別個の音源を備え、且つデータ変換手段もそのフォーマット形式に変換できるよう対応させるようにすることは言うまでもない）。その他は上記構成と基本的に同じである。
【００１９】
さらに、機種の異なる携帯端末装置に夫々（家族一人一人など）が好きな着信メロディを入力したり、或いはオリジナルな着信メロディを夫々が入力することも考えられ、その場合、その機種によっては、着信メロディデータ用のデータフォーマットが異なることがある。請求項３の構成は、そのような場合に対応できる構成を規定したものである。
【００２０】
すなわち、請求項３の構成は、少なくとも演奏操作を基に楽音発生手段から楽音を発生させる電子楽器であって、
上記楽音発生手段とは別のデータフォーマットに従って楽音を発生させる別の音源と、
携帯端末装置の機種の選択ができ、それによってデータフォーマット変換時のデータフォーマットが特定可能な機種設定手段と、
演奏操作に基づく演奏データ、及び該演奏データのフォーマット変換後の変換データを記憶するデータ記憶手段と、
データフォーマット変換の際の変換条件を設定する変換条件設定手段と、
上記データ記憶手段に記憶された演奏データを上記選択機種及び変換条件に従ってフォーマット変換し、データ記憶手段に記憶させるデータ変換手段と、
該変換データを読み出して、特定されたデータフォーマットに従って上記楽音発生手段又は別の音源から楽音を発生させる再生制御手段と、
上記変換データを読み出して、携帯端末装置へ転送するデータ転送手段と
を有することを特徴としている。
【００２１】
ここでは、機種設定手段が備えられており、携帯端末装置の機種の選択によって、データフォーマット変換時のデータフォーマットが特定できるようになる。従って、データ変換手段によるデータフォーマット変換時には、演奏データを上記選択機種及び変換条件に従ってフォーマット変換を行うことになる。
【発明の効果】
【００２２】
本発明の請求項１〜請求項３記載の電子楽器によれば、電子楽器を使用し自分で演奏することで、自分の好きな或いはオリジナルな着信メロディを携帯端末装置に入力でき、操作ボタンを押したり、マウス操作をするなど面倒な手間が必要なくなるという優れた効果を奏し得る。
【発明を実施するための最良の形態】
【００２３】
以下、本発明の実施の形態を図示例と共に説明する。
図１〜図３は、本発明の一実施形態である電子鍵盤楽器１００の構成を示している。
【００２４】
本電子鍵盤楽器１００は、その本体には、後述する鍵盤１１５と、演奏者の該電子鍵盤楽器における種々の設定処理（例えばある種のスイッチ処理など）が行え、またその設定状態などが表示される、パネルディスプレイで構成される操作パネル１１４と、携帯電話２００に接続される本願実施例の構成として含まれるデータ転送外部インターフェース７１とが設けられている。
【００２５】
図２は、上記電子鍵盤楽器１００の内部回路構成を示す説明図である。この電子鍵盤楽器１００は、バス１１０を介して、ＣＰＵ１１１、ＲＯＭ１１２、ＲＡＭ１１３、パネルスキャン回路１１４ａ、鍵盤スキャン回路１１５ａ、楽音発生回路１１６及び該楽音発生回路１１６とは別の音源部１０とが接続されている。
【００２６】
ＣＰＵ１１１は、ＲＯＭ１１２に記憶されている制御プログラムを読み出しそれに従って、ＲＡＭ１１３を使用しながら、この電子鍵盤楽器１００の全体を制御する。また該ＣＰＵ１１１は、上記ＲＯＭ１１２に備えられた処理プログラムを読み込んで実行することにより、後述する本願実施例構成のデータ変換部５０と再生制御部６０とが構成され、それらの機能に従った処理が行われることになる。このＣＰＵ１１１で行われる処理については、後に図３の機能ブロック構成と図４のフローチャートを参照しながら詳細に説明する。
【００２７】
ＲＯＭ１１２は、上述した制御プログラムが記憶されているほか、ＣＰＵ１１１が使用する種々の固定データも記憶されている。またこのＲＯＭ１１２には、音色を指定するための複数の音色パラメータが記憶されている。１つの音色パラメータは、所定の楽器音の所定の音域の音色を指定するために使用される。各音色パラメータは、例えば波形アドレス、周波数データ、エンベロープデータ、フィルタ係数等で構成されている。さらにＲＯＭ１１２には、上記ＣＰＵ１１１に読み込まれて実行された際、演奏データを基に、後述する携帯電話２００の機種によって異なる着信メロディデータのデータフォーマットに変換する変換処理プログラム、及びその処理に付帯的な試聴用の制御処理及び携帯電話への着信メロディデータの転送を行う処理プログラムが格納されている。
【００２８】
ＲＡＭ１１３は、ＣＰＵ１１１が各種処理を行う際に、種々のデータを一時記憶するために使用される。具体的には、このＲＡＭ１１３には、この電子鍵盤楽器１００を制御するための各種レジスタ、カウンタ、フラグ等が定義されている。また後述する本願実施例構成のデータ記憶部３０も、該ＲＡＭ１１３で構成される。
【００２９】
上記パネルスキャン回路１１４ａには、操作パネル１１４が接続されており、該操作パネル１１４からの指示により、その指示がＣＰＵ１１１に伝えられて、上述のように種々の設定処理が行える。またＣＰＵ１１１から送られてきた表示データが操作パネル１１４上の画面に送られ、その表示データに従ったメッセージ（設定状態など）が画面に表示される。
【００３０】
操作パネル１１４には、上述のように、種々の設定処理が行え、またその設定状態などが表示されるが、そのような機能の１つとして、自分が弾いた演奏データを携帯電話２００用の着信メロディに変換する着メロ変換スイッチが表示される。この着メロ変換スイッチが選択された場合、演奏データの入力後、図５以下が上記操作パネル１１４上に画面表示される。
【００３１】
加えてこれらのスイッチ以外に、例えば、音量スイッチ、音色選択スイッチ、残響効果選択スイッチ等が設けられている。該操作パネル１１４は、上述のように、パネルディスプレイで構成されているため、種々のメッセージやモード設定の状態を表示するためのディスプレイ装置として使用されることになる。
【００３２】
この操作パネル１１４に接続されているパネルスキャン回路１１４ａは、ＣＰＵ１１１からの指令に応じて、操作パネル１１４上の各スイッチをスキャンする。そして、このスキャンにより得られた各スイッチの開閉状態を示す信号に基づいてパネルデータを作成する。このパネルデータの各ビットは、上記各スイッチに対応し、例えば「１」でスイッチオン、「０」でスイッチオフ状態を表す。このパネルデータは、操作パネル１１４上の各スイッチが押されたかどうかを判断するために使用される。
【００３３】
上記鍵盤スキャン回路１１５ａには、複数の鍵を有する鍵盤１１５が接続されていて、該鍵盤１１５の押鍵状態が検出され、演奏データとして出力される。すなわち該鍵盤スキャン回路１１５ａは、ＣＰＵ１１１からの指令に応じて鍵盤１１５上の各キースイッチをスキャンする。そして、このスキャンにより得られた各キースイッチの開閉状態を示す信号に基づいて、演奏データを作成する。演奏データは、各鍵を１ビットに対応させたビット列で成り、各ビットは、例えば「１」で押鍵中、「０」で離鍵中であることを表す。
【００３４】
また、該演奏データは、バス１１０を介してＣＰＵ１１１に送られる。また該ＣＰＵ１１１によって、後述するこの演奏データと、音量、音色、残響効果等のデータが楽音発生回路１１６に一緒に送られる。該楽音発生回路１１６は、演奏データに基づいて楽音を発生する音源からなる。この楽音発生回路１１６から出力されたデジタル信号は、Ｄ／Ａ変換回路１１７でアナログ信号に変換され、増幅器１１８で増幅されて、スピーカ１１９を介して、楽音が外部に出力される。
【００３５】
楽音発生回路１１６は、３２音同時発音が可能なチャンネル（パート）を有する音源で構成され、所定の音色データの読み出しを行う波形メモリ（図示しない）が備えられている。この波形メモリは、例えばＲＯＭで構成され、各音色パラメータに対応する波形データを記憶している。該波形データは、例えば自然楽器音に基づいて生成された楽音信号をパルスコード変調（ＰＣＭ）することによって作成される。また鍵盤スキャン回路１１５ａから送られた演奏データが、ＣＰＵ１１１の制御で、この楽音発生回路１１６に入力されることで、そこから楽音波形が出力され、出力された楽音波形は、Ｄ／Ａ変換回路１１７でアナログ信号に変換される。
【００３６】
この楽音信号は、増幅器１１８で増幅された後にスピーカ１１９に供給される。これにより、スピーカ１１９で音響信号に変換されて放音される。
【００３７】
また上記音源部１０は、上記図１９のＳＭＡＦというデータフォーマット形式の変換データを試聴させるために設けられた構成であって、ＳＭＡＦといったデータ形式のデータに基づいて楽音を出力できる例えばＦＭ音源などで構成される。
【００３８】
その他、ＣＰＵ１１１には、直接データ転送外部インタフェース７１が接続されている。このデータ転送外部インタフェース７１は、後述するデータ転送部７０の外部へのインタフェースである。このデータ転送部７０により、ＣＰＵ１１０と外部の携帯電話２００との間で、着信メロディデータの送受信が制御される。このデータ転送外部インタフェース７１としては、接続される機器の種類に応じて、例えばＵＳＢ、ＩＥＥＥ１３９４、赤外線送受信回路などが使用できるが、本実施例構成では一般的に普及しているＵＳＢが用いられている。
【００３９】
図３は、上記電子鍵盤楽器１００構成の機能ブロックを示すブロック図である。
【００４０】
同図に示すように、本発明に係る電子鍵盤楽器１００の構成は、鍵盤１１５の押鍵状態を検出して鍵盤スキャン回路１１５ａが演奏データを出力するが、その演奏データフォーマットとは別のデータフォーマットに従って楽音を発生させることができる音源部１０（上記楽音発生回路１１６とは別の音源）と、上記操作パネル１１４上に表示される携帯電話２００の機種が選択でき、それによってデータフォーマット変換時のデータフォーマットが特定される機種設定部２０と、上記鍵盤１１５の演奏操作に基づいて出力された演奏データ及び該演奏データのフォーマット変換後の変換データが記憶されるデータ記憶部３０と、データフォーマット変換の際の変換条件を設定する変換条件設定部４０と、上記データ記憶部３０に記憶された演奏データを、上記選択機種及び変換条件に従ってフォーマット変換し、データ記憶部３０に記憶させるデータ変換部５０と、該変換データを読み出して、機種設定によって特定されたデータフォーマットに従って上記楽音発生回路１１６又は上記音源部１０から楽音を発生させる再生制御部６０と、上記変換データを読み出して、携帯電話２００へ転送するデータ転送部７０とを備えている。
【００４１】
また上述のように、本実施例構成では、演奏データを受け取って、設定された上記音色パラメータに基づき、上記楽音発生回路１１６に楽音信号を発生させる通常の電子鍵盤楽器の構成を備えていることは言うまでもない。
【００４２】
上記音源部１０は、少なくとも６音同時発音が可能なチャンネル（パート）を有するＦＭ音源で構成され、上記機種設定部２０で機種選択された携帯電話２００が音源としてＦＭ音源しか有しておらず、データ変換部５０で変換されたデータが、ＳＭＡＦフォーマット形式のデータの場合に、それを試聴するための構成である。後述する再生制御部６０によって、ＳＭＡＦフォーマットの変換データと、音量、音色、残響効果等のデータが該音源部１０に一緒に送られ、それによって着信メロディが、スピーカ１１９から出力される。
【００４３】
上記機種設定部２０は、上記操作パネル１１４、パネルスキャン回路１１４ａＣＰＵ１１１及びＲＯＭ１１２で構成され、ＲＯＭ１１２内に記憶されている携帯電話２００の機種を操作パネル１１４に表示させ、それを演奏者に選ばせることで、ＲＯＭ１１２内に記憶された対応する変換フォーマットを特定し、それをＲＡＭ１１３上のレジスタに記憶する構成である。
【００４４】
上記データ記憶部３０は、上記ＲＡＭ１１３で構成されており、上記鍵盤１１５の演奏操作に基づいて出力された演奏データ、及び該演奏データが上記データ変換部５０によりフォーマット変換された後の変換データが記憶される構成である。
【００４５】
上記変換条件設定部４０は、上記操作パネル１１４、パネルスキャン回路１１４ａＣＰＵ１１１及びＲＯＭ１１２で構成され、ＲＯＭ１１２内に記憶されている着信メロディデータのデータ最大値、音色データ、エフェクトパラメータを操作パネル１１４に表示させ、それを演奏者に選ばせることで、ＲＯＭ１１２内に記憶されたこれらのデータやパラメータを変換条件とし、それをＲＡＭ１１３上のレジスタに記憶する構成である。
【００４６】
上記データ変換部５０は、ＣＰＵ１１１及びＲＯＭ１１２で構成されており、ＲＯＭ１１２上に記憶された上記変換処理プログラムをＣＰＵ１１１によって読み出し実行することで、上記データ記憶部３０に記憶された演奏データを、上記ＲＡＭ１１３のレジスタ上に記憶されている選択機種（変換フォーマット形式）及び変換条件に従ってフォーマット変換し、上記データ記憶部３０に記憶させる構成である。
【００４７】
上記再生制御部６０は、同じくＣＰＵ１１１及びＲＯＭ１１２で構成されており、ＲＯＭ１１２上に記憶された上記試聴用の制御処理プログラムをＣＰＵ１１１によって読み出し実行することで、上記変換データを読み出して、機種設定によって該変換データの出力先（楽音発生回路１１６又は音源部１０）を決定し、該機種設定で特定されたデータフォーマットに従って上記楽音発生回路１１６又は上記音源部１０から楽音を発生させる構成である。
【００４８】
上記データ転送部７０は、上記ＵＳＢコネクタからなるデータ転送外部インターフェース７１を備え、且つＣＰＵ１１１及びＲＯＭ１１２で構成されており、ＲＯＭ１１２上に記憶されたＵＳＢシリアルデータ転送処理プログラムをＣＰＵ１１１によって読み出し実行することで、上記変換データを読み出し、着信メロディデータとして携帯電話２００へ転送する構成である。
【００４９】
次に、図４のフローチャートと図５〜図１７までの画面表示構成を参照しながら、この電子鍵盤楽器の動作につき説明する。尚、上記フローチャートに示された処理は、いずれもＣＰＵ１１１により行われる。
【００５０】
図４は、この電子鍵盤楽器１００の携帯電話２００用のデータ変換及び転送処理の手順を示すフローチャートである。まず、演奏者は、操作パネル１１４で、着メロ変換スイッチを選択する。そして自分で鍵盤１１５を押鍵操作することにより、演奏データが入力される（ステップＳ１０１）。
【００５１】
上述のように、着メロ変換スイッチが選択されているので、上記演奏時には同時にその演奏データが、上記データ記憶部３０に記憶される（ステップＳ１０２）。
【００５２】
演奏データが記憶された時点で、図５に示すような携帯電話２００の機種選択画面が表示され、演奏者が着信メロディとして記憶させようとしている携帯電話２００の機種を選定することで、機種設定処理が行われる（ステップＳ１０３）。すなわち、上記機種設定部２０により、ＲＯＭ１１２内に記憶された、選定機種に対応する変換フォーマットが特定（データフォーマット決定）され、それがＲＡＭ１１３上のレジスタに記憶される。
【００５３】
その後上記変換条件設定部４０により、図６〜図８に示す変換条件を選択する画面表示がなされ、それに従って演奏者が各変換条件を選択・設定することで、変換条件設定処理がなされる（ステップＳ１０４）。
【００５４】
図６は、作成する着信メロディのデータサイズの入力画面であり、ここでデータの最大サイズを入力する。近年では、携帯電話２００側にメモリカードなどの外部記憶媒体が装着できる構成を備えているものがあり、該媒体に着信メロディデータが記憶されて着信メロディ用に利用できる場合は、かなり大きなサイズが設定できる。
【００５５】
図７は、着信メロディの音源で利用するチャンネル（この図示例では６チャンネル）における音色を指定する画面である。このチャンネル数は、着信メロディとして記憶させようとしている携帯電話２００の音源及び変換後のデータフォーマットによって決まっている。また指定できる音色も同様である。
【００５６】
図８は、着信メロディの音源で利用する上記チャンネルにおけるエフェクトを指定する画面である。指定できるエフェクトの種類は、携帯電話２００の音源及び変換後のデータフォーマットによって決まっている。
【００５７】
以上の処理が終了したら、操作パネル１１４には、データコンバートをして良いかを問い合わせてくる画面が表示され、それに対してＹｅｓボタンが選択されると、操作パネル１１４の画面が、図９に示すようなコンバート処理画面に変わる。そしてデータ変換部５０により、上記ＲＡＭ１１３のレジスタに記憶されている変換フォーマット及び同じくレジスタに記憶されている上記各種変換条件が読み出されると共に、データ記憶部３０に記憶されている演奏データが読み出され、該変換フォーマット及び変換条件に従って、演奏データがフォーマット変換され、上記データ記憶部３０に記憶される（ステップＳ１０５）。
【００５８】
最後までその変換処理が行われ、変換処理が終了（変換成功）した場合には（ステップＳ１０６；Ｙ）、上記再生制御部６０により、ＲＯＭ１１２上の試聴用の制御処理プログラムが読み出されて実行され、図１０に示すような再生モードの画面が操作パネル１１４上に表示される。ここで、「１．再生」選択する又はその下の右に突き出した三角ボタンを押すことで、試聴処理が行われる（ステップＳ１０７）。すなわち、該再生制御部６０により、上記変換データが読み出され、機種設定によって該変換データの出力先（楽音発生回路１１６又は音源部１０）が決定され、該機種設定で特定されたデータフォーマットに従って上記楽音発生回路１１６又は上記音源部１０から楽音が発生されることになる。
【００５９】
上記試聴が終了した時点で、データ転送部７０により、ＲＯＭ１１２上に記憶されたＵＳＢシリアルデータ転送処理プログラムが読み出されて実行され、操作パネル１１４には、図１１に示すような変換データを転送して良いかを問い合わせてくる画面が表示され（ステップＳ１０８）、それに対してＹｅｓボタンが選択されると（ステップＳ１０８；Ｙ）、該操作パネル１１４の画面が、図１２に示すような転送処理画面に変わる。そしてデータ転送部７０により、該変換データが、着信メロディデータとして携帯電話２００へ転送される（ステップＳ１０９）。転送が終了した時点で、操作パネル１１４には、図１３に示すような転送完了画面が表示される。
【００６０】
また上記ステップＳ１０６において、変換が成功しなかった場合（ステップＳ１０６；Ｎ）、データ変換部５０は処理を変換条件設定部４０に渡し、操作パネル１１４の画面が、図１４に示すような最適化処理画面に変わる。この画面では和音数を最適化する処理と小節数を最適化する処理が選択できるようになっている。どちらの処理もデータの容量を減らすことができる。
【００６１】
そのうち和音数の最適化する処理が選択された場合（ステップＳ１１０；Ｙ）、和音数最適化処理が実行される（ステップＳ１１１）。この和音数最適化の処理は、図１５に示すように、１つのチャンネルの中に、３和音以上ある場合に、例えば最高音と最低音のみ残し、他の音を削除することで行われ、これによりデータ数が削減される。実際の和音数最適化処理時には、操作パネル１１４に図１６に示す画面が表示され、全てのチャンネルの和音数を最適化するか、指定されたチャンネルの和音数を最適化するかといった選択ができることになる。
【００６２】
この和音数最適化処理終了後、又は和音数を最適化する処理が選択されなかった場合（ステップＳ１１０；Ｎ）、図１７に示すような小節数を最適化するか否かを問い合わせる画面が操作パネル１１４に表示され、小節数を最適化する処理が行われる場合（ステップＳ１１２；Ｙ）、演奏データのうちのどの小節番号を先頭にし、どの小節番号で終了するかを指定することになる。終了小節番号の指定の後矢印ボタンを押すことで、小節数最適化処理が実行されることになる（ステップＳ１１３）。
【００６３】
この小節数最適化処理終了後、又は小節数を最適化する処理が選択されなかった場合（ステップＳ１１２；Ｎ）、ステップＳ１０５に戻り、データ変換などの以後の処理を行う。
【００６４】
また上記ステップＳ１０８で、上記試聴が終了後に、変換データを転送して良いかを問い合わせてくる画面が表示され（ステップＳ１０８）、それに対してＮｏボタンが選択されると（ステップＳ１０８；Ｎ）、変換条件設定処理に戻るか否かを問い合わせる画面が表示されるので（図示なし）、変換条件設定処理に戻る選択がなされた場合（ステップＳ１１４；Ｙ）、上記ステップＳ１０４に復帰し、以後の処理が繰り返される。反対に変換条件設定処理に戻る選択がされなかった場合（ステップＳ１１４；Ｎ）、ステップＳ１０１に復帰し、もう一度最初から演奏データの入力を行うことになる。
【００６５】
以上説明した本実施形態構成によれば、電子鍵盤楽器１００を使用して演奏を行い、その演奏データを変換して携帯電話２００に転送・入力することができ、しかも携帯電話２００に転送する前に試聴して、気に入らなければ変換条件を変更したり、最初から演奏し直したりすることができるので、簡単に、自分の好きな或いはオリジナルな着信メロディを入力できるようになる。
【００６６】
また機種の異なる携帯端末装置に夫々（家族一人一人など）が好きな着信メロディを入力したり、或いはオリジナルな着信メロディを夫々が入力しようとする場合でも、機種設定部２０が備えられており、携帯電話２００の機種の選択によって、データフォーマット変換時のデータフォーマットが特定できるため、データ変換部５０によるデータフォーマット変換時には、演奏データを上記選択機種及び変換条件に従ってフォーマット変換を行うことになる。
【００６７】
そして、上記電子鍵盤楽器１００に備えられている楽音発生回路１１６とは別個に、変換後のデータフォーマットに従って楽音を発生させる音源部１０が備えられており、従って電子鍵盤楽器１００の演奏データフォーマット形式とは異なるデータフォーマットに変換された変換データについては、試聴の際、再生制御部６０により、上記別の音源部１０から楽音が発生せしめられることになる。
【００６８】
尚、本発明の電子楽器は、上述の図示例にのみ限定されるものではなく、本発明の要旨を逸脱しない範囲内において種々変更を加え得ることは勿論である。
【図面の簡単な説明】
【００６９】
【図１】本発明の一実施形態である電子鍵盤楽器１００の平面図である。
【図２】電子鍵盤楽器１００の内部回路構成を示す説明図である。
【図３】電子鍵盤楽器１００構成の機能ブロックを示すブロック図である。
【図４】電子鍵盤楽器１００の携帯電話２００用のデータ変換及び転送処理の手順を示すフローチャートである。
【図５】携帯電話２００の機種選択の表示画面を示す説明図である。
【図６】作成する着信メロディのデータサイズ入力の表示画面を示す説明図である。
【図７】着信メロディの音源で利用するチャンネルにおける音色指定の表示画面を示す説明図である。
【図８】着信メロディの音源で利用する各チャンネルにおけるエフェクト指定の表示画面を示す説明図である。
【図９】コンバート処理中であることの表示画面を示す説明図である。
【図１０】再生モードであることの表示画面を示す説明図である。
【図１１】変換データを転送して良いかの問い合わ表示画面を示す説明図である。
【図１２】転送処理中であることの表示画面を示す説明図である。
【図１３】転送が完了したことの表示画面を示す説明図である。
【図１４】最適化処理の表示画面を示す説明図である。
【図１５】和音数最適化処理の実行内容を示す説明図である。
【図１６】和音数最適化処理時に表示される画面を示す説明図である。
【図１７】小節数を最適化するか否かの問い合わせ表示画面を示す説明図である。
【図１８】ＧＭＬやＧＭ２などのＭＩＤＩメッセージで構成されるデータフォーマット形式の説明図である。
【図１９】ＳＭＡＦというデータフォーマット形式の説明図である。
【符号の説明】
【００７０】
１０      音源部
２０      機種設定部
３０      データ記憶部
４０      変換条件設定部
５０      データ変換部
６０      再生制御部
７０      データ転送部
７１      データ転送外部インタフェース
１００      電子鍵盤楽器
１１０      バス
１１１      ＣＰＵ
１１２      ＲＯＭ
１１３      ＲＡＭ
１１４      操作パネル
１１４ａ    パネルスキャン回路
１１５      鍵盤
１１５ａ    鍵盤スキャン回路
１１６      楽音発生回路
１１７      Ｄ／Ａ変換回路
１１８      増幅器
１１９      スピーカ
２００      携帯電話
【図１】
2005055634.tif 000003
【図２】
2005055634.tif 000004
【図３】
2005055634.tif 000005
【図４】
2005055634.tif 000006
【図５】
2005055634.tif 000007
【図６】
2005055634.tif 000008
【図７】
2005055634.tif 000009
【図８】
2005055634.tif 000010
【図９】
2005055634.tif 000011
【図１０】
2005055634.tif 000012
【図１１】
2005055634.tif 000013
【図１２】
2005055634.tif 000014
【図１３】
2005055634.tif 000015
【図１４】
2005055634.tif 000016
【図１５】
2005055634.tif 000017
【図１６】
2005055634.tif 000018
【図１７】
2005055634.tif 000019
【図１８】
2005055634.tif 000020
【図１９】
2005055634.tif 000021